(57)【特許請求の範囲】
【請求項１】
建物の出入口に設置された左右の支柱に沿って、下方から上方の取付位置までシャッターを移動させるシャッター取付装置であって、
前記シャッターを支持する支持部と、前記各支柱において上下方向に複数列設された係止孔に係止される係止部とを有し、前記係止部が係止される前記係止孔の位置を順次変更しながら当該支柱の下方から上方へそれぞれスライド自在に設けられた一対のリフターを備え、
前記リフターは、
前記支持部および前記係止部が設けられたリフタ本体と、
前記リフタ本体に連結され、前記支柱において前記係止孔が形成された部位を前記リフタ本体との間に挟入することにより、前記リフタ本体の前記支柱からの離脱を防止する取付部材とを有することを特徴とするシャッター取付装置。
【請求項２】
前記リフタ本体は、前記支柱に摺接する摺接片を有し、
前記取付部材は、前記係止孔が形成された部位を介して前記摺接片に対峙する挟持片を有し、
前記挟持片は、少なくとも前記係止部が係止される前記係止孔を閉鎖しない位置に配置されたことを特徴とする請求項１に記載のシャッター取付装置。
【発明の詳細な説明】
【技術分野】
【０００１】
本発明は、車庫や倉庫等の建物の出入口にシャッターを取り付けるためのシャッター取付装置に関するものである。
【背景技術】
【０００２】
従来、金属板等で構成される建物の出入口にシャッターを取り付ける際に、作業者がシャッターを左右片側ずつ交互に持ち上げることにより、出入口の支柱間の下方から上方の取付位置までシャッターを人力で移動させることを可能としたシャッター取付装置が知られている（特許文献１参照）。
【０００３】
このシャッター取付装置では、左右の支柱にその長手方向に沿って複数の爪孔が列設されると共に、シャッター側にその爪孔に係合する係止爪が設けられている。そして、作業者は、爪孔と係止爪とを完全に離脱させることなく当該係止爪が係合する爪孔の位置を順次変更しながら、シャッターを片側ずつ交互に持ち上げる反複動作を行うことにより、小さな作業負荷でシャッターを取付位置まで移動させることが可能である。
【先行技術文献】
【特許文献】
【０００４】
【特許文献１】特開平１１−１３３６４号公報
【発明の概要】
【発明が解決しようとする課題】
【０００５】
ところで、上記特許文献１に記載の従来技術では、シャッター取付装置によって所定の取付位置まで移動したシャッターは、建物に対してねじやボルト等により完全に固定されることになる。しかしながら、上記従来技術では、シャッター取付装置の少なくとも一部（ここでは、係止爪やガイド部材等）は、シャッターの移動の際に一時的に利用されるのみである（すなわち、シャッターの固定後には無用となる）にも拘わらず、当該シャッターと一体に設けられているため、装置コストが嵩むという問題があった。
【０００６】
本発明は、このような従来技術の課題を鑑みて案出されたものであり、再利用可能な安価な構成でありながら、小さな作業負荷でシャッターを下方から取付位置まで人力で移動させることを可能としたシャッター取付装置を提供することを目的とする。
【課題を解決するための手段】
【０００７】
上記課題を解決するためになされた本発明の第１の側面によれば、建物（１）の出入口（２）に設置された左右の支柱（５，５）に沿って、下方から上方の取付位置までシャッター（３）を移動させるシャッター取付装置（４）であって、前記シャッターを支持する支持部（３２）と、前記各支柱において上下方向に複数列設された係止孔（１２）に係止される係止部（５１）とを有する一対のリフター（１３，１３）を備え、前記リフターは、前記各支柱に対して着脱自在に取り付けられると共に、前記係止部が係止される前記係止孔の位置を順次変更しながら当該支柱の下方から上方へそれぞれスライド自在に設けられたことを特徴とする。
【０００８】
また、本発明の第２の側面によれば、前記リフターは、前記支持部および前記係止部が設けられたリフタ本体（２１）と、前記リフタ本体に連結され、前記支柱において前記係止孔が形成された部位（１１）を前記リフタ本体との間に挟入することにより、前記リフタ本体の前記支柱からの離脱を防止する取付部材とを有することを特徴とする。
【０００９】
また、本発明の第３の側面によれば、前記リフタ本体は、前記支柱に摺接する摺接片（３３）を有し、前記取付部材は、前記係止孔が形成された部位を介して前記摺接片に対峙する挟持片（６２Ａ〜Ｃ）を有し、前記挟持片は、少なくとも前記係止部が係止される前記係止孔を閉鎖しない位置に配置されたことを特徴とする。
【発明の効果】
【００１０】
上記本発明の第１の側面によれば、シャッターを支持する一対のリフターが左右の支柱に対して着脱自在に取り付けられた構成としたため、シャッターを取付位置に固定した後にリフターを再利用可能な安価な構成でありながら、小さな作業負荷で（すなわち、シャッターを片側ずつ交互に持ち上げる反複動作を行うことにより）シャッターを下方から取付位置まで人力で移動させることが可能となる。
また、上記本発明の第２の側面によれば、簡易な構成により、リフターを各支柱に対して着脱自在かつスライド自在に取り付けることができる。
また、上記本発明の第３の側面によれば、支柱に対するリフターの係止を阻害することなく、支柱からリフタ本体が離脱することを防止することが可能となる。
【図面の簡単な説明】
【００１１】
【図１】実施形態に係るシャッター取付装置を備えたガレージの斜視図である。
【図２】実施形態に係るシャッター取付装置の拡大図である。
【図３】実施形態に係るリフターの要部分解斜視図である。
【図４】図１中のシャッター取付装置の部分破断側面図である。
【図５】図１中のシャッター取付装置の平面図である。
【図６】図１中のシャッター取付装置の背面図である。
【発明を実施するための形態】
【００１２】
以下、図１〜図６を参照しながら本発明の実施形態に係るシャッター取付装置について説明する。以下では、特に断り書きのない限り、シャッター取付装置の各構成要素の説明における方向は、図１中の矢印で示す方向に従って定めるものとする。また、互いに対称な構造を有する構成要素については、同一の符号を付すことにより一括して示す（例えば、「支柱５，５」）。
【００１３】
図１に示すように、ガレージ１は、主として鋼板等の金属製部材からなる組立式の建物であり、その出入口２には上下開閉式のシャッター３が設けられている。シャッター取付装置４は、ガレージ１の出入口２の上部にシャッター３を取り付ける際に用いられ、出入口２に設置された上下方向に延びる左右一対の支柱５，５に沿って、矢印Ａに示すように下方から上方の取付位置（図１中に２点鎖線で示す。）までシャッター３の人力での移動を可能とする。ここで、シャッター３は、複数のスラット６が連なる周知の構成を有しており、図２にも併せて示されるように、左右の側板７，７に回転自在に支持された巻き取りシャフト８にスラット６が巻き取られた状態にある。
【００１４】
図２に示すように、支柱５，５は、略コ字状（または略Ｃ字状）に鋼板を折り曲げての中空柱状にした構造を有しており、内側に折り曲げられた一方の折り曲げ端に形成されたガイド片１１の後面部１１ａには、上下方向に所定の間隔で複数の係止孔１２が列設されている。シャッター取付装置４は、左右の支柱５，５に対してそれぞれ下方から上方に向けてにスライド自在に取り付けられる左右一対のリフター１３，１３を有している。左右のリフター１３，１３は、図３にも示すように、金属製のリフタ本体２１と、このリフタ本体２１を支柱５に取り付けるための金属製の取付部材２２とから主として構成される。
【００１５】
リフタ本体２１は、左右方向に直交するように配置される三角平板状の側片３１と、側片３１の上端に連なる支持片３２と、側片３１の前端に連なる摺接片３３とを主として備える。
【００１６】
支持片３２は、図３に示すように、側片３１に対して略直角に一方側に折り曲げられるようにして形成され、シャッター３（より詳細には、側板７）を支持する上面部３２ａと、この上面部３２ａの内側の縁部から上方に延設された支持ガイド部３２ｂとを有している。シャッター３は、図２に示すように、側板７の底部に形成された取付孔４１と、支持片３２の上面部３２ａに形成された取付孔４２とに挿通されるボルト４４とこれに螺合するナット４３によってリフタ本体２１に固定される。
【００１７】
摺接片３３は、図３に示すように、側片３１に対して略直角に一方側に折り曲げられるようにして形成され、支柱５，５のガイド片１１の後面に摺接する前面部３３ａと、この前面部３３ａの内側の縁部から前方に延設されたスライドガイド部３３ｂとを有している。
【００１８】
摺接片３３の前面部３３ａの上側には、ガイド片１１の係止孔１２に係止される係止部５１が設けられている。図２及び図４に示すように、係止部５１において、前面部３３ａから内側に立設されたハウジング５２内には、左右方向に延びる回動軸５３に枢支された係止片５４が設けられている。係止片５４は、ハウジング５２内に収まるように平行四辺形の上方の鋭角部を切り欠いたような形状を有し、回動軸５３は、係止片５４の略中心に挿通されている。また、係止片５４は、回動軸５３を外囲するように取り付けられたねじりコイルばね５５により、一方向（図４における時計回りの方向）に回動するように付勢されている。この付勢により、係止片５４の下方の鋭角部である係止爪５４ａが、前面部３３ａの開口５６から前方に突出し、係止爪５４ａの底面が、ガイド片１１の係止孔１２の底縁に係止される。
【００１９】
取付部材２２は、図３に示すように、リフタ本体２１の側片３１の外側にボルト５９により連結され、側片３１の外面に当接した状態で固定される固定片６１と、固定片６１に対して略直角に一方側に折り曲げられるようにして形成された複数（ここでは、３つ）の挟持片６２Ａ〜６２Ｃとを有している。
【００２０】
挟持片６２Ａ〜６２Ｃは、摺接片３３に対峙すると共に、上下方向に一定の間隔をおいて配置されている。図４に示すように、挟持片６２Ａ〜６２Ｃと摺接片の前面部３３ａとの間には、係止孔１２が形成されたガイド片の後面部１１ａが相対的にスライド自在に挟入されている。また、摺接片のスライドガイド部３３ｂは、ガイド片において後面部１１ａに直交するように連なる側面部１１ｂの外面に摺接する。このような構成により、リフタ本体２１は、支柱５，５（ガイド片１１）に対してスライド自在に支持されると共に、支柱５，５からの離脱が防止される。
【００２１】
また、図４および図５に示すように、挟持片６２Ａ、６２Ｂは、上下方向においてガイド片１１の係止孔１２および開口５６を閉鎖しない位置に配置されている。つまり、係止孔１２およびこれに係止される係止爪５４ａは、挟持片６２Ａ、６２Ｂの間の間隙に位置するため、リフター１３，１３の支柱５，５に対する係止が阻害されることはない。
【００２２】
上記構成のシャッター取付装置４では、作業者は、シャッター３をその上部に固定した後は、従来技術と同様に、係止孔１２と係止爪５４ａとを完全に離脱させることなく（すなわち、少なくとも左右一方の係止孔１２と係止爪５４ａとが係合した状態で）、係止爪５４ａが係止される係止孔１２の位置を順次変更しながら、シャッター３を片側ずつ交互に持ち上げる反複動作を行うことにより、小さな作業負荷でシャッターを取付位置（図１中に２点鎖線で示す。）まで移動させることが可能である。シャッター３を支持片３２上に載置する際には、支持ガイド部３２ｂ（図２参照）の外側の面が側板７，７の内側の面に当接することによって、シャッター３の左右の位置が規定される。
【００２３】
また、このとき、係止片５４では、係止爪５４ａが係止される係止孔１２の位置が変更される際には、係止孔１２の上縁によって前斜面が押圧されることにより、ねじりコイルばね５５の付勢力に抗して係止爪５４ａが後退する方向の回動が生じる。これにより、係止孔１２に対する係止爪５４ａの係止状態が一旦解除される。その後、係止爪５４ａの位置が上方の別の係止孔１２と一致すると、ねじりコイルばね５５の付勢力により係止爪５４ａが再び前進して当該上方の係止孔１２に係止される。このような構成により、支柱５，５に対してスライド自在に支持されたリフタ本体２１は、係止爪５４ａの係止とその解除を繰り返しながら下方から上方に向けて移動可能である。
【００２４】
作業者は、最終的にシャッター３を取付位置まで移動させると、側板７，７から前方に突設された固定爪７１（図２、図４参照）を、支柱５，５のガイド片１１の後面部１１ａに形成された図示しない固定孔に係止させるとともに、シャッター３を支柱５，５に対してボルト締結する。ここでは、最も高い位置の係止孔１２を固定孔として用いることができる。また、支持片３２に形成された取付孔４２（図２参照）は前後方向に延びる長孔として形成されているため、作業者は、取付位置での固定の際に、図４に示す状態からシャッター３を支柱５，５に向けて容易に前進させることができる。
【００２５】
このように、本発明のシャッター取付装置４では、シャッター３を支持する一対のリフター１３，１３が左右の支柱５，５に対して着脱自在に取り付けられた構成としたため、シャッター３を取付位置に固定した後にリフター１３，１３を支柱５，５から取り外して再利用することが可能であり、安価な構成でありながら、小さな作業負荷でシャッターを下方から取付位置まで人力で移動させることが可能となる。
【００２６】
本発明について実施例を含む特定の実施形態に基づいて説明したが、これらの実施形態はあくまでも例示であって、本発明はこれらの実施形態によって限定されるものではない。なお、上記実施形態に示した本発明に係るシャッター取付装置の各構成要素は、必ずしも全てが必須ではなく、少なくとも本発明の範囲を逸脱しない限りにおいて適宜取捨選択することが可能である。
【符号の説明】
【００２７】
１  ガレージ（建物）
２  出入口
３  シャッター
４  シャッター取付装置
５  支柱
１１  ガイド片
１１ａ  後面部
１１ｂ  側面部
１２  係止孔
１３  リフター
２１  リフタ本体
２２  取付部材
３２  支持片
３２ａ  上面部（支持部）
３３  摺接片
５１  係止部
５４  係止片
５４ａ  係止爪
６２Ａ〜Ｃ  挟持片
【図１】
0005690566.tif 000002
【図２】
0005690566.tif 000003
【図３】
0005690566.tif 000004
【図４】
0005690566.tif 000005
【図５】
0005690566.tif 000006
【図６】
0005690566.tif 000007